(57)【要約】【課題】タッチパネルによる、接触カードを利用した接触カード認識システム及び接触カード認識方法を提供することを目的とする。【解決手段】静電容量式のタッチパネルを備えた機器に用いる接触カードを有している。当該接触カードは、タッチパネルに接触する絶縁された裏面に複数の導電性物質を配置し、当該導電性物質を配置した裏面とは反対の前面にコーティング等により設けた導電性物質と結合されている。タッチスクリーンは、導電性物質の配置に該当する位置情報を生成し、位置情報に基づいて接触カードの特性データベースを検索してタッチスクリーンに接触カードに関する表示を行うことができる。【選択図】図１
2014067429.tif 000002
【特許請求の範囲】
【請求項１】
前面に印刷された印刷情報に関する接触カードの特性を表現できるように、裏面に前記接触カードの特性を区別するための少なくても一つの突起が形成された接触カードと；
前記接触カードの突起を感知して前記突起に対応する領域に該当する位置情報を生成するタッチスクリーンと；
前記位置情報に基づいてコードデータベースを検索し、前記位置情報によるコード情報を生成する判読部と；
前記コード情報によって前記接触カードの特性データベースを検索して前記コード情報による特性情報を抽出する制御部と；を含み、
前記特性情報は前記タッチスクリーンから出力されることを特徴とするタッチスクリーンを利用した接触カード認識システム。
【請求項２】
前記制御部は質問情報を出力し、前記特性情報と前記質問情報を比較判断した結果情報をされに生成し、
前記結果情報は前記タッチスクリーンから出力されることを特徴とする請求項１に記載のタッチスクリーンを利用した接触カード認識システム。
【請求項３】
前記接触カード認識システムは、
前記特性情報及び前記結果情報を出力するための補助スクリーンをさらに含み、
前記特性情報及び前記結果情報は前記補助スクリーンに出力されることを特徴とする請求項２に記載のタッチスクリーンを利用した接触カード認識システム。
【請求項４】
接触カードの前面には文字、記号及びイメージを含む印刷情報が印刷されており、
前記接触カードの裏面には前記印刷情報に関する特性情報を表現できるように、前記特性情報を区別するための少なくても一つの突起が形成されており、
前記突起は前記接触カードの裏面に前記特性情報別に予め決められた位置の領域に形成されることを特徴とする接触カード認識システムに利用される接触カード。
【請求項５】
タッチスクリーンを利用した接触カード認識システムによって接触カードを認識する方法において、
（ａ）タッチスクリーンが接触カードの裏面に形成された少なくとも一つの突起を感知し、前記突起に対応する領域に該当する位置情報を生成する段階と；
（ｂ）前記位置情報に基づいてコードデータベースを検索し、前記位置情報によるコード情報を生成する段階と；
（ｃ）前記コード情報に基づいて前記接触カードの特性データベースを検索し、前記コード情報による特性情報を抽出する段階と；
（ｄ）前記特性情報を出力する段階と；を含み、
前記接触カードはその前面に印刷された印刷情報に関する接触カードの特性を表現できるように、その裏面に前記接触カードの特性を区別するための少なくても一つの突起が形成されることを特徴とするタッチスクリーンを利用した接触カード認識方法。
【請求項６】
前記（ａ）段階を実行前に
（ｅ）質問情報を出力する段階をさらに含み、
前記（ｄ）段階を実行した後に
（ｆ）前記質問情報と前記特性情報を比較判断した結果情報を生成する段階をさらに含むことを特徴とする請求項５に記載のタッチスクリーンを利用した接触カード認識方法。
【発明の詳細な説明】
【技術分野】
【０００１】
本発明はタッチスクリーンを利用した接触カード認識システム及び認識方法に関し、さらに詳しくは、裏面に接触カードの特性を区別するための少なくても一つの突起が形成された接触カードと、前記接触カードの突起を感知して突起に対応する領域に該当する位置情報を生成するタッチスクリーンと、位置情報に基づいて、コードデータベースを検索し、位置情報によるコード情報を生成する判読部と、コード情報によって接触カードの特性データベースを検索して、コード情報による特性情報を抽出する制御部とを含み、特性情報はタッチスクリーンに出力されることを特徴とするタッチスクリーンを利用した接触カード認識システム及び認識方法に関する。
【背景技術】
【０００２】
従来に情報を接触カードに記録して電子的に読み出す方式には、接触カードにバーコードを記録し、これをバーコードリーダーで読み出す方式がある。
【０００３】
このような方式は、接触カード上に特別な識別コードを有するバーコードを印刷し、これをバーコードリーダーで読み出す方式を利用する。
【０００４】
しかし、前記方式を利用する場合には、バーコードが印刷された接触カードの他にいつもバーコードリーダーが必要となる問題点がある。
【０００５】
バーコードリーダーの場合、値段が高く、個人用ゲームシステムなどではバーコードリーダーを装着することができなくて普及率が低調である問題点がある。
【先行技術文献】
【特許文献】
【０００６】
【特許文献１】特開２００６−１８５３３８号公報
【特許文献２】特開２００５−７８０８６号公報
【特許文献３】国際公開２００８／０５０４６８号
【特許文献４】国際公開２００７／０１７８４８号
【発明の概要】
【発明が解決しようとする課題】
【０００７】
本発明は接触カードの特性情報を表現するための突起を接触カードの裏面に形成し、このように形成された接触カード裏面の突起を圧力感応式タッチスクリーンを通じて認識し、認識した特性情報をスクリーンに出力することによって、接触カードを利用した接触カード認識システム及び接触カード認識方法を提供することを目的とする。
【課題を解決するための手段】
【０００８】
このような目的を達するための本発明の実施形態によるタッチスクリーンを利用した接触カード認識システムは、前面に印刷された印刷情報に関する接触カードの特性を表現できるように、裏面に接触カードの特性を区別するための少なくても一つの突起が形成された接触カードと；接触カードの突起を感知して、突起に対応する領域に該当する位置情報を生成するタッチスクリーンと；位置情報に基づいてコードデータベースを検索し、位置情報によるコード情報を生成する判読部と；コード情報によって接触カードの特性データベースを検索して、コード情報による特性情報を抽出する制御部と；を含み、特性情報はタッチスクリーンに出力されることを特徴とする。
【０００９】
好ましくは、前記制御部は質問情報を出力し、特性情報と質問情報を比較判断した結果情報をさらに生成し、前記結果情報はタッチスクリーンに出力されることができる。
【００１０】
好ましくは。前記認識システムは、特性情報及び結果情報を出力するための補助スクリーンをさらに含み、特性情報及び結果情報は補助スクリーンに出力されることができる。
【００１１】
本発明の実施形態によるタッチスクリーンを利用した接触カード認識方法は、（ａ）タッチスクリーンが接触カードの裏面に形成された少なくとも一つの突起を感知し、突起に対応する領域に該当する位置情報を生成する段階と；（ｂ）位置情報に基づいてコードデータベースを検索し、位置情報によるコード情報を生成する段階と；（ｃ）コード情報に基づいて接触カードの特性データベースを検索し、コード情報による特性情報を抽出する段階と；（ｄ）特性情報を出力する段階とを含み、前記接触カードはその前面に印刷された印刷情報に関する接触カードの特性を表現できるように、その裏面に接触カードの特性を区別するための少なくても一つの突起が形成されることを特徴とする。
【発明の効果】
【００１２】
本発明によれば、突起が形成された接触カードを利用して対話式プログラムを実行できるようにする接触カードを利用するプログラムを提供し、前記突起が形成された接触カード及びそれを利用するプログラムを提供することができる。
【００１３】
また、本発明によれば、印刷などによって接触カードに記録された印刷情報に関する多様な特性情報を識別できるように接触カードの裏面に突起を形成し、タッチスクリーンで接触カードを判読して再びスクリーン上に特性情報を出力できるようにする。
【００１４】
また、本発明によれば印刷などによって接触カードに記録された特性を突起で形成した接触カードを提供し、前記接触カードを利用する対話型プログラムを提供することができる。
【００１５】
また、本発明によれば接触カードの一部を穿孔したり、材質の透明度と色を調整してスクリーン上のイメージと接触カードに印刷された印刷情報を結合した視覚的效果を提供し、これを利用したプログラムを提供することができる。
【図面の簡単な説明】
【００１６】
【図１】本発明の実施形態による接触カードの前面を例示した図面である。
【図２】本発明の実施形態による接触カードの裏面を例示した図面である。
【図３】本発明の実施形態による接触カードの裏面がタッチスクリーンに接触することを例示した図面である。
【図４】本発明の他の実施形態による接触カードの前面を例示した図面である。
【図５】本発明の他の実施形態による接触カードの裏面を例示した図面である。
【図６】本発明の実施形態によるタッチスクリーンを利用した接触カード認識システムのブロック図である。
【図７】本発明の実施形態によるタッチスクリーンを利用した接触カード認識方法を示すフローチャートである。
【図８】本発明の他の実施形態によるタッチスクリーンを利用した接触カード認識方法を示すフローチャートである。
【図９】本発明の実施形態による接触カード認識システムを例示する図面である。
【図１０】本発明の他の実施形態による接触カード認識システムを例示する図面である。
【発明を実施するための形態】
【００１７】
以下で添付図面を参照して、本発明の好ましい実施形態を詳しく説明する。
【００１８】
図１は本発明の実施形態による接触カードの前面を、図２は本発明の実施形態による接触カードの裏面を、図３は本発明の実施形態による接触カードの裏面がタッチスクリーンに接触することを例示した図面である。
【００１９】
本発明による接触カード１００は、タッチスクリーンが装着されたゲーム機及び学習器などとともに利用されて、対話型ゲームや対話型学習プログラムを行う際に利用されることができ、また会社や学校などを出入りする時、身分を確認する出入証（学生証及び社員証）、またはタッチスクリーンが装着されたゲーム機またはコンピューターでオリジナルソフトウェアであるか否かを認証するためのカードに利用されることができるなど多様な方式に利用されることができる。
【００２０】
本発明の実施形態による接触カード１００の前面には接触カード１００の特性に関する多様な印刷情報が印刷され、図１には自動車を意味する「ｃａｒ」１２０が印刷されている。
【００２１】
接触カード１００の前面には接触カード１００の特性に関して文字、記号、及びイメージ（絵）など多様な印刷情報が印刷されることができる。例えば、乳児用英語学習プログラムに利用される時は、図１のように「ｃａｒ」または「Ｌｉｏｎ」が印刷情報として印刷されることができ、社員証または学生証に利用される場合には、社員や学生の写真または名前などが印刷情報として印刷されることもでき、オリジナルソフトウェア認証用カードで利用される時には認証しようとするソフトウェアの名称が印刷されることもできる。
【００２２】
本発明の実施形態による接触カード１００の裏面には接触カード１００の前面に印刷された印刷情報に関する特性情報を表現できるように特性情報に対応する突起領域に突起１１０＿１、１１０＿２を有する。ここで、特性情報とは、接触カード１００の前面に印刷された印刷情報に関し、接触カードの特性を表現した情報である。
【００２３】
例えば、乳児用学習プログラムに利用される時、「自動車」という単語が印刷情報として接触カード１００に印刷された場合、特性情報は自動車を表すイメージ（静止画像または動画像を含み）または「ｃａｒ」などになる。一方、会社の出入証に利用されて、会社名及び出入証という文具が印刷情報として印刷された場合、特性情報は接触カードを所持した社員の名前、社員番号、または出入り可能であるか否かなどになることができ、オリジナルソフトウェアであるか否かを認証するプログラムに利用される場合、特性情報はオリジナルであるか否かを認証する認証コードであるなど多様な認識領域に利用されることができる。
【００２４】
印刷情報に関する特性情報は、接触カード１００の裏面に突起に形成され、後述する接触カード認識システムは、前記突起の位置を精密に感知して接触カード１００の特性情報を認識する。
【００２５】
接触カード１００の裏面に形成される突起は、図２に点線で表示された領域の中の一つの領域に形成されることもでき、複数の領域に形成されることもできるなど、多様な領域に形成されることができる。即ち、接触カード１００の裏面の突起１１０＿１、１１０＿２は接触カード１００の前面に印刷された印刷情報によって予め決められた方式で所定の領域に形成される。それぞれの印刷情報及び印刷情報に関するそれぞれの特性情報別に突起が形成される領域が異なり、突起が形成される位置によって接触カード１００の特性情報が決められる。一方、突起が形成される領域の大きさは、タッチスクリーンが認識できる解像度及び認識プログラムによって多様に決められることができる。
【００２６】
二枚の接触カードを例に説明すれば、二枚の接触カード１００の前面の印刷情報が同一であれば、二つの接触カードの突起はそれぞれ同じ位置に形成され、二つの接触カード１００の前面の印刷情報が異なると、二つの接触カードの突起が形成される位置が互いに異なる。
【００２７】
接触カード１００の裏面の突起１１０＿１、１１０＿２は圧力感応式タッチスクリーン２００と接触してタッチスクリーン２００が接触を認識できるようにする部分である。接触カード１００の裏面に形成された突起１１０＿１、１１０＿２はタッチスクリーン２００と接触し、圧力を感知する圧力感応式タッチスクリーン２００は突起が接触された位置２１０＿１、２１０＿２を座標情報として認識することができる。
【００２８】
ここで、タッチスクリーン２００がシングルタッチ（ＳＩＮＧＬＥ
ＴＯＵＣＨ）のみを認識する場合には突起が一つのみ形成され、マルチタッチ（ＭＵＬＴＩ−ＴＯＵＣＨ）を認識できる場合であれば、突起が複数形成されることができる。
【００２９】
図４は本発明の他の実施形態による接触カードの前面を、図５は本発明の他の実施形態による接触カードの裏面を例示した図面である。
【００３０】
本発明の他の実施形態による接触カード１００の前面には、例えばイメージ、文字、または記号などを表す印刷情報が印刷され、前記接触カード１００は透明または半透明に製作されて穿孔１５０を含むことができる。
【００３１】
一方、接触カード１００の裏面には、前記で説明したように、接触カード前面の印刷情報に関する特性情報を表現できるように、特性情報を区別するための突起１１０＿３、１１０＿４が形成される。突起１１０＿３、１１０＿４はカード裏面の所定領域に形成され、前記突起が形成される位置はそれぞれの印刷情報及びそれぞれの特性情報別にその位置が予め決められる。
【００３２】
穿孔１５０が含まれた接触カードをタッチスクリーン上に載せると、タッチスクリーンに出力される映像イメージ（静止画像及び動画を含み）２５０と接触カード１００の前面の印刷イメージ１６０が組合されて多様な視覚的效果を得るように具現されることもできる。
【００３３】
図６は本発明の実施形態によるタッチスクリーンを利用した接触カード認識システムのブロック図である。
【００３４】
本発明の実施形態による接触カードを利用した接触カード認識システムは、接触カード１００、タッチスクリーン２００、判読部３００、制御部４００、コードデータベース５２０、及び接触カードの特性データベースを保存している保存部５００を含み、さらに、入力部６００または補助スクリーン２８０をさらに含むことができる。
【００３５】
接触カード１００は前面に印刷された印刷情報に関する接触カードの特性情報を表現するように、裏面に前記特性情報を区別するための少なくても一つ以上の突起が形成されている。
【００３６】
突起が形成された接触カード１００がタッチスクリーン２００に載せられると、タッチスクリーン２００は接触カードの突起を感知して突起に対応する領域に該当する位置情報を生成して判読部３００に提供する。前記位置情報は接触カード１００で突起が形成された位置を横及び縦軸位置を示す情報で、予め決められた基準点に座標情報として表現されることもできる。突起が形成された位置が複数である場合、位置情報は全ての突起が形成された位置に対する情報を含む。
【００３７】
判読部３００は接触カード１００の突起の位置情報に基づいてコードデータベース５２０を検索し、コードデータベース５２０から接触カード突起の位置情報によるコード情報を生成する。ここで、コードデータベース５２０は突起の位置情報別にそれに対応するコード情報を保存しているデータベースである。
【００３８】
制御部４００は判読部３００で生成されたコード情報によって接触カードの特性データベース５４０を検索し、コード情報による接触カードの特性情報を抽出する。
【００３９】
また、制御部４００は、例えば抽出された特性情報を利用してオリジナルソフトウェアの認否を確認して、オリジナルであることが確認された場合、利用者がソフトウェアを利用することができ、正常品であることが確認されない場合、利用者がソフトウェアを利用できないように制御することもできる。
【００４０】
特性データベース５４０はコード情報別にそれに対応する接触カード１００の多様な特性情報を保存しているデータベースである。コード情報は接触カードに形成された突起の位置によって多様であり、特性情報は前記コード情報と一対一にマッチングされ、接触カードの特性を表す多様な情報を含む。
【００４１】
例えば、「自動車」と言う単語が印刷情報として接触カードに印刷された場合、特性データベースには前記接触カードから生成されたコード情報に対応する特性情報として、自動車を表現するイメージ（動画または静止映像）及び／または自動車にあたる英単語である「ｃａｒ」などの情報が保存される。一方、接触カードが出入証として利用される場合、特性データベースには前記接触カードを所持する人の名前、電話番号、及び／または出入り可能であるか否などの情報がコード情報別に保存されることができ、オリジナルソフトウェアの認証カードに利用される場合、特性情報は認証コードとして保存されることができる。一方、前記特性情報はその利用状況によって外部で変更されたり、更新されることができる。
【００４２】
また、制御部４００は前記抽出した特性情報をタッチスクリーンまたは補助スクリーン２８０に出力するための出力情報を生成して、判読部３００、保存部５００、入力部６００、タッチスクリーン２００、及び補助スクリーン２８０を制御する。
【００４３】
抽出された特性情報は、タッチスクリーン２００または補助スクリーン２８０によって出力される。
【００４４】
タッチスクリーン２００は前記で説明したように、圧力を感知することができるともに、出力情報を出力することができる圧力感応式タッチスクリーンである。
【００４５】
突起が形成された接触カード１００が穿孔を有したり透明な材質からなる場合には、接触カードの特性情報がタッチスクリーンまたは接触カードの穿孔領域に対応するタッチスクリーン領域に出力されるようにすることができる。
【００４６】
一方、補助スクリーン２８０はディスプレー装置で、接触カードの特性情報及び／または結果情報を出力するためのディスプレー装置である。
【００４７】
突起が形成された接触カード１００をタッチスクリーンに載せた場合、その接触カードが不透明な材質からなっている場合、接触カード１００の特性情報がタッチスクリーン２００を通じて出力されてもこれを確認しにくい。従って、本発明による接触カード認識システムは接触カードが不透明な材質からなる場合に、特性情報が出力される補助スクリーン２８０をさらに含むことが好ましい。
【００４８】
本発明による接触カード認識システムは対話型ゲームをすることができ、接触カードに保存されている情報を認識してこれを利用する方式で利用されることができる。
【００４９】
対話型ゲームをするために、制御部４００は質問情報を生成してタッチスクリーン２８０または補助スクリーン２８０に出力されるようにすることができる。ゲーム利用者はタッチスクリーン２００または補助スクリーン２８０に出力された質問情報を見た後、それに対応する答案が印刷情報として印刷されている接触カードをタッチスクリーン２００に載せる。
【００５０】
タッチスクリーン２００は接触カードの位置情報を生成し、判読部３００は接触カードの位置情報によるコード情報を生成し、制御部４００はコード情報による特性情報を生成する。
【００５１】
制御部４００はコード情報による特性情報をタッチスクリーン２００に出力し、コード情報による特性情報と質問情報を比較判断した結果情報を生成する。結果情報は質問情報に対してゲーム利用者がタッチスクリーン２００に載せた接触カード１００の特性情報と前記質問情報に対する正解情報が合うか否かを比較判断して生成した情報である。ここで、質問情報と質問情報に対する正解情報は保存部に保存されることができる。
【００５２】
例えば、質問情報として出力された文章が「獅子」である場合、それに対して獅子が描かれた接触カードまたは「ＬＩＯＮ」が印刷された接触カードをタッチスクリーン２００に載せた場合、「正解です」という結果情報を出力することができる。
【００５３】
入力部６００はゲーム利用者からゲームの操作のためのキー操作を入力する役割を果たし、前記のような対話型学習ゲームの進行の時に多様なキー操作信号を受けて制御部４００に提供する。
【００５４】
一方、本発明による接触カード認識システムは接触カードに保存された情報を認識し、これを利用する方式で具現されることができる。例えば、接触カードで認識されるコード情報に対応される特性情報に出入証の所持者の名前、連絡先、所属、及び／または出入り可能であるか否に対する情報を保存させ、制御部が出入証として利用される接触カードのコード情報による特性情報を認識して、認識した特性情報によって出入証の所持者の出入りを制御する方式で出入証システムに利用されることができる。この場合、前記質問情報は「出入りのために出入証をタッチスクリーンに接触してください」という案内文になることができ、結果情報は接触カードをタッチスクリーンに接触させた後、最終的に出入り可能の否に対する結果及びそれによる制御信号（例えば出入り許可の時、自動ドアを開くようにする制御信号）を含んだ情報になることができる。
【００５５】
また、本発明による接触カード認識システムは、例えば接触カードで認識されるコード情報に対応される特性情報にオリジナルソフトウェアであることを認証する認証コードを保存させ、制御部がコード情報による特性情報を認識し、認識した特性情報によってオリジナル利用者のみにソフトウェアを利用できるように制御する方式でオリジナルソフトウェア認証用カードを認識するシステムに利用されることができる。この場合、前記質問情報は「ソフトウェアの最初利用のために認証カードをタッチスクリーンに接触してください」という案内文になることができ、結果情報は接触カードをタッチスクリーンに接触させた後、最終的にオリジナル利用者であるか否に対する結果及びそれによる制御信号（例えばオリジナル利用者の場合ソフトウェアを利用するようにする制御信号）を含む情報になることができる。
【００５６】
図７は本発明の実施形態による接触カードを利用した接触カード認識方法を示すフローチャートである。本発明の実施形態による接触カードを利用した接触カード認識方法は、前記説明した接触カードを利用した接触カード認識システムによって行う接触カード認識方法で、説明が重複される部分は省略する。
【００５７】
まず、ゲーム利用者はタッチスクリーン２００に突起が形成された接触カードを置く。
【００５８】
接触カードに形成された突起は、接触カードの前面に印刷された印刷情報に関する特性情報によって形成されたもので、印刷情報に関する特性情報を区別するために接触カードの特性別に予め決められた接触カードの裏面の特定領域に突起が形成される。
【００５９】
タッチスクリーン２００は接触カードの裏面に形成された少なくとも一つの突起を感知し、感知された突起に対応する領域に位置情報を生成するＳ４１０。突起が複数である場合、位置情報は複数の突起の全ての位置に関する情報を含んでいる。
【００６０】
判読部３００は位置情報に基づいてコードデータベースを検索し、位置情報によるコード情報を生成するＳ４２０。
【００６１】
制御部４００はコード情報に基づいて接触カードの特性データベースを検索し、前記コード情報による特性情報を抽出しＳ４３０、抽出された特性情報を出力するための出力情報を生成する。
【００６２】
タッチスクリーン２００または補助スクリーン２８０はタッチスクリーン２００に置かれた接触カードの特性情報を出力するＳ４４０。
【００６３】
図８は本発明の他の実施形態による接触カードを利用した接触カード認識方法を示すフローチャートである。
【００６４】
まず、タッチスクリーン２００または補助スクリーン２８０は質問情報を出力するＳ５１０。質問情報は制御部によって選択された質問に対する情報で、例えば、ゲームのためにゲーム利用者に問題として提示される情報であることができ、一方、出入りのための案内文であることもできる。
【００６５】
ゲーム利用者はタッチスクリーン２００または補助スクリーン２８０を通じて出力される質問情報を見た後、質問情報の正解であると思われる情報が前面に印刷された接触カードを選んでタッチスクリーン２００に載せたり、または案内文によって接触カードをタッチスクリーン２００に載せることができる。
【００６６】
タッチスクリーン２００は接触カードの裏面に形成された少なくとも一つの突起を感知し、感知された突起に対応する領域に該当する位置情報を生成するＳ５２０。突起が複数である場合、位置情報は複数の突起の全ての位置に関する情報を含んでいる。
【００６７】
判読部３００は位置情報に基づいてコードデータベースを検索し、位置情報によるコード情報を生成するＳ５３０。
【００６８】
制御部４００はコード情報に基づいて接触カードの特性データベースを検索し、前記コード情報による特性情報を抽出してＳ５４０、抽出された特性情報を出力するための出力情報を生成する。
【００６９】
タッチスクリーン２００または補助スクリーン２８０はタッチスクリーン２００に置かれた接触カードの特性情報を出力するＳ５５０。
【００７０】
制御部２００は抽出された接触カードの特性情報と質問情報を比較判断した結果情報を生成する。
【００７１】
ゲームに利用される場合。制御部２００は抽出された特性情報が質問情報に対する正解情報と一致するか否かを判断し、ゲーム利用者が選択してタッチスクリーン２００に載せた接触カードが質問情報に対する正解情報に合うか否かを判断した結果情報を生成する。結果情報はゲーム利用者が質問情報に対応してタッチスクリーン２００に載せた接触カードが正解であるか若しくは間違っているかに対する情報を含む。
【００７２】
または、例えば出入りシステムに利用される場合、抽出された特性情報に出入りを許可する情報がある場合、出入りを許可するようにする結果情報を生成することもできる。
【００７３】
図９は本発明の実施形態による接触カード認識システムを例示する図面である。
【００７４】
図９によれば、スクリーン２００と補助スクリーン２８０、及びキー操作ができる入力部６００を有する接触カード認識システム７００を例示している。
【００７５】
接触カード１００の前面には「ｃａｒ」と英文で印刷情報１２０が印刷されており、その裏面には「ｃａｒ」に対応する特性情報を区別するための突起が所定領域に形成されている。
【００７６】
本発明によれば、接触カード１００をタッチスクリーン２００に載せる場合、補助スクリーン２８０には「ｃａｒ」に対応する自動車のイメージが特性情報として出力されることができる。勿論、イメージの代わり「自動車」というハングル文字情報が出力されることもできる。
【００７７】
一方、補助スクリーン２８０に出力された自動車のイメージは質問情報として出力されることができる。「ｃａｒ」１２０という印刷情報が印刷された接触カード１００がタッチスクリーン２００に載せられると、質問情報（自動車）に対してタッチスクリーンに載せられた接触カード（ｃａｒ）が正解であるので質問に対する回答が合うという内容の結果情報が補助スクリーンに出力されることができる。
【００７８】
図１０は本発明の他の実施形態による接触カード認識システムを例示する図面である。印刷情報１２０が印刷された接触カードが透明であったり、図９のように穿孔１５０された領域を有する場合には、一つのタッチスクリーン２００として本発明による接触カード認識システム７００を具現することができる。
【００７９】
接触カード１００の前面には「ＡＰＰＬＥ」と英文で印刷情報１２０が印刷されており、その接触カード１００の裏面には「ＡＰＰＬＥ」に対応する特性情報を区別するための突起が所定領域に形成されている。
【００８０】
本発明によれば、接触カード１００をタッチスクリーン２００に載せる場合、タッチスクリーン２００には「ＡＰＰＬＥ」に対応するリンゴのイメージ２５０が特性情報として出力されることができる。一方、タッチスクリーン２００に出力されたリンゴのイメージ２５０が質問情報として出力されたものであることもある。質問情報が出力された後、ゲーム利用者によって「ＡＰＰＬＥ」１２０という印刷情報が印刷された接触カード１００が選択されてタッチスクリーン２００に載せられると、質問情報（リンゴ）に対してタッチスクリーンに載せられた接触カード（ＡＰＰＬＥ）が正解であるので質問に対する回答が正解であるという内容の結果情報が補助スクリーンに出力されることができる。
【００８１】
本発明による接触カード、タッチスクリーンを利用した接触カード認識システム、及びタッチスクリーンを利用した接触カード認識方法は、ゲーム、対話型ゲーム、学習装置、学習プログラム、個人情報認識（学生証及び社員証に利用）、出入証システム、及びゲームプログラムのオリジナル認証など多様な分野に利用されることができる。接触カードの裏面に突起が形成される領域の個数及び形成される突起の個数を増加させて、それによるコード情報の数を増加させることができるので、本明細書に記載された実施形態に限定されないで、カードのコード情報及びそれに対応される特性情報を抽出する認識分野に多様に利用されることができる。
【００８２】
前記方法はまたコンピューターが読み取ることのできる記録媒体にコンピューターが読み取ることのできるコードで具現することが可能である。コンピューターが読み取ることのできる記録媒体はコンピューターによって読み取られるデータが保存される全ての記録装置を含む。コンピューターが読み取ることのできる記録媒体の例としては、ＲＯＭ、ＲＡＭ、ＣＤ−ＲＯＭ、磁気テープ、光データ保存装置などがあり、またキャリアウエーブ（例えばインターネットを通じる送信）形態で具現されることも含む。またコンピューターで読み取ることのできる記録媒体は、ネットワークで接続されたコンピューターシステムに分散されて、分散方式にコンピューターが読み取ることのできるコードが保存されて実行されることができる。
【００８３】
本発明は圧力感応式タッチスクリーン、即ち、圧力抵抗膜方式によるタッチスクリーンを例に説明しているが、
静電容量方式（ＣＡＰＡＣＩＴＩＶＥ
ＯＶＥＲＬＡＹ）または電子誘導方式など多様な方式のタッチスクリーンに適用されることができる。
【００８４】
ただ、前記静電容量方式のタッチスクリーンが適用される場合、前記接触カード１００の前面は金属のような導電性物質からなるか、コーティング（ＣＯＡＴＩＮＧ）され、
裏面は非導電性物質から形成される。この時、前記突起は金属のような導電性物質として導電性物質である前記前面から連結されて前記裏面に突出されるように形成される。
【００８５】
また、前記電子誘導方式のタッチスクリーンが適用される場合、前記接触カード１００の裏面に形成された突起内部には磁場を発生するコイルが装着される。
【００８６】
前記静電容量方式または電子誘導方式によるタッチスクリーン当該技術分野で広く知られた公知の技術であるので、これに関する具体的な説明は諸略する。
【００８７】
以上、実施形態を通じて説明した本発明の技術範囲は前記記載された実施形態に限定されるものではなく、本発明の思想及び範囲を逸脱しない範囲で多様に修正及び変形されることができることは本発明の属す技術分野において通常の知識を有する者にとっては自明である。従って、そういう変形例または修正例は本発明の特許請求の範囲に記載された発明の範囲に属すべきである。
【産業上の利用可能性】
【００８８】
本発明はタッチスクリーンを利用した接触カード認識システムに利用可能である。
【図１】
2014067429.tif 000003
【図２】
2014067429.tif 000004
【図３】
2014067429.tif 000005
【図４】
2014067429.tif 000006
【図５】
2014067429.tif 000007
【図６】
2014067429.tif 000008
【図７】
2014067429.tif 000009
【図８】
2014067429.tif 000010
【図９】
2014067429.tif 000011
【図１０】
2014067429.tif 000012
【手続補正書】
【提出日】平成25年11月28日(2013.11.28)
【手続補正２】
【補正対象書類名】特許請求の範囲
【補正対象項目名】全文
【補正方法】変更
【補正の内容】
【特許請求の範囲】
【請求項１】
静電容量方式のタッチスクリーンを用いた接触カード認識システムであって、
前記タッチスクリーンが認識できる解像度に対応した大きさに区画された接触カードの複数の領域に導電性物質を設け、
前記接触カードの接触による導電性物質の座標位置に基づいて、当該座標位置に対応するタッチスクリーン上の領域に位置情報を生成し、
前記位置情報を生成したタッチスクリーン上の領域に基づいてコード情報を生成し、当該コード情報に基づく情報を取得するように構成したことを特徴とする接触カード認識システム。
【請求項２】
接触させることによって保持した情報を静電容量方式のタッチスクリーンに認識させる接触カードであって、
前記タッチスクリーンが認識できる解像度に対応した大きさに区画された接触カードの複数の領域に導電性物質を設け、
当該複数の導電性物質を金属からなるかコーティングされた他の導電性物質と連結したことを特徴とする接触カード。